【手続補正書】
【提出日】平成29年7月4日(2017.7.4)
【手続補正１】
【補正対象書類名】明細書
【補正対象項目名】００１９
【補正方法】変更
【補正の内容】
【００１９】
上記の目的を達成するために、請求項１記載の発明は、パルプモールド構造体の製造方法であって、パルプモールドよりなる本体を準備する準備工程と、本体の少なくとも一方面の全体となる第１の特定個所を、第１の保護層の厚みを規定するための第１の空間を介して覆うように第１の金型を設置すると共に、第１の金型内で、湿気硬化型の発泡性樹脂からなる第１の発泡性樹脂を第１の空間に充満させるように発泡させて本体の一方面の全体に第１の保護層を一体的に形成する発泡工程とを備えたものである。
【手続補正２】
【補正対象書類名】明細書
【補正対象項目名】００２０
【補正方法】変更
【補正の内容】
【００２０】
このように構成すると、第１の発泡性樹脂は、湿気硬化型の発泡性樹脂からなるものである。又、本体の一方面が第１の保護層により完全に覆われる。
【手続補正３】
【補正対象書類名】明細書
【補正対象項目名】００２４
【補正方法】変更
【補正の内容】
【００２４】
このように構成すると、発泡性樹脂の周囲への飛散が防止できる。
請求項４記載の発明は、パルプモールド構造体の製造方法であって、パルプモールドよりなる本体を準備する準備工程と、本体の少なくとも一方面の全体となる第１の特定個所を、第１の保護層の厚みを規定するための第１の空間を介して覆うように第１の金型を設置すると共に、第１の金型内で、２液混合型又は湿気硬化型の発泡性樹脂からなる第１の発泡性樹脂を第１の空間に充満させるように発泡させて本体の一方面の全体に第１の保護層を一体的に形成する発泡工程とを備え、発泡工程は、第１の特定個所を第１の空間を介して覆うように第１の金型を配置する工程と、第１の金型内に第１の発泡性樹脂を注入する工程とを含むものである。
このように構成すると、第１の発泡性樹脂は、２液混合型又は湿気硬化型の発泡性樹脂からなるものである。又、本体の一方面が第１の保護層により完全に覆われる。更に、発泡性樹脂の周囲への飛散が防止できる。
【手続補正４】
【補正対象書類名】明細書
【補正対象項目名】００２５
【補正方法】変更
【補正の内容】
【００２５】
請求項５記載の発明は、請求項１から請求項４のいずれかに記載の発明の構成において、準備工程は、本体の一方面の一部に第１の機能材が設置される工程を含むものである。
【手続補正５】
【補正対象書類名】明細書
【補正対象項目名】００２７
【補正方法】変更
【補正の内容】
【００２７】
請求項６記載の発明は、請求項１から請求項５のいずれかに記載の発明の構成において、準備工程は、第１の空間を形成する第１の特定個所に対向する第１の金型の面の少なくとも一部に第２の機能材が設置される工程を含むものである。
【手続補正６】
【補正対象書類名】明細書
【補正対象項目名】００２９
【補正方法】変更
【補正の内容】
【００２９】
請求項７記載の発明は、請求項１から請求項６のいずれかに記載の発明の構成において、発泡工程は、本体の他方面の少なくとも一部となる第２の特定個所を第２の空間を介して覆うように第２の金型を配置すると共に、第２の金型内で第２の発泡性樹脂を第２の空間に充満させるように発泡させて本体に第２の保護層を一体的に形成する工程を含むものである。
【手続補正７】
【補正対象書類名】明細書
【補正対象項目名】００３１
【補正方法】変更
【補正の内容】
【００３１】
請求項８記載の発明は、パルプモールド構造体であって、パルプモールドよりなる本体と、第１の発泡性樹脂の発泡よりなり、本体の一方面の全体を覆うように形成される第１の保護層とを備え、本体に対する第１の保護層の剥離強度が、発泡が拘束されない場合の第１の発泡性樹脂の剥離強度より大きく、第１の発泡性樹脂は、湿気硬化型の発泡性樹脂からなるものである。
【手続補正８】
【補正対象書類名】明細書
【補正対象項目名】００３２
【補正方法】変更
【補正の内容】
【００３２】
このように構成すると、本体と第１の保護層との密着力が高い。又、第１の発泡性樹脂は、湿気硬化型の発泡性樹脂からなるものである。
請求項９記載の発明は、パルプモールド構造体であって、パルプモールドよりなる本体と、第１の発泡性樹脂の発泡よりなり、本体の一方面の全体を覆うように形成される第１の保護層とを備え、第１の保護層は、金型によって規定された空間において第１の発泡性樹脂が注入されて、発泡が拘束された状態で形成され、本体に対する第１の保護層の剥離強度が、発泡が拘束されない場合の第１の発泡性樹脂の剥離強度より大きく、第１の発泡性樹脂は、２液混合型又は湿気硬化型の発泡性樹脂からなるものである。
このように構成すると、本体と第１の保護層との密着力が高い。又、第１の発泡性樹脂は、２液混合型又は湿気硬化型の発泡性樹脂からなるものである。
【手続補正９】
【補正対象書類名】明細書
【補正対象項目名】００３３
【補正方法】変更
【補正の内容】
【００３３】
請求項１０記載の発明は、請求項８又は請求項９記載の発明の構成において、本体は、他方面の全面を覆うように貼り付けられたフィルムを更に備えたものである。
【手続補正１０】
【補正対象書類名】明細書
【補正対象項目名】００３５
【補正方法】変更
【補正の内容】
【００３５】
請求項１１記載の発明は、請求項８から請求項１０のいずれかに記載の発明の構成において、本体と第１の保護層との間に封入された第１の機能材を更に備えたものである。
【手続補正１１】
【補正対象書類名】明細書
【補正対象項目名】００３７
【補正方法】変更
【補正の内容】
【００３７】
請求項１２記載の発明は、請求項１１記載の発明の構成において、第１の機能材は、金属箔、ＩＣチップ及びマイクロ波を集中させる性質を持ったシート体のうちのいずれか一つよりなるものである。
このように構成すると、第１の機能材として、金属箔、ＩＣチップ及びマイクロ波を集中させる性質を持ったシート体のうちのいずれか一つが第１の保護層を介して本体に保持される。
請求項１３記載の発明は、請求項８から請求項１２のいずれかに記載の発明の構成において、本体は、底部と、底部に接続され上方に立ち上がる側壁部とからなり、一方面が外面となる容器形状を有し、第１の保護層は、一方面に凹凸形状を有するものである。
このように構成すると、凹凸形状を付加した第１の保護層を有する容器が得られる。
請求項１４記載の発明は、パルプモールド構造体であって、パルプモールドよりなる本体と、第１の発泡性樹脂の発泡よりなり、本体の一方面に形成される第１の保護層と、本体の他方面の全面を覆うように貼り付けられたフィルムとを備え、本体に対する第１の保護層の剥離強度が、発泡が拘束されない場合の第１の発泡性樹脂の剥離強度より大きく、本体は、底部と、底部に接続され上方に立ち上がる側壁部とからなり、一方面が外面となる容器形状を有し、底部の外面側において封入された、アルミ箔よりなる第１の機能材を更に備えたものである。
【手続補正１２】
【補正対象書類名】明細書
【補正対象項目名】００３８
【補正方法】変更
【補正の内容】
【００３８】
このように構成すると、本体と第１の保護層との密着力が高い。又、本体の他方面がフィルムにより完全に覆われる。更に、アルミ箔が底部の外面側に固定される。
【手続補正１３】
【補正対象書類名】明細書
【補正対象項目名】００３９
【補正方法】変更
【補正の内容】
【００３９】
請求項１５記載の発明は、請求項８から請求項１４のいずれかに記載の発明の構成において、第１の保護層の表面において、第１の保護層と一体的に接着している第２の機能材を更に備えたものである。
【手続補正１４】
【補正対象書類名】明細書
【補正対象項目名】００４１
【補正方法】変更
【補正の内容】
【００４１】
請求項１６記載の発明は、請求項８から請求項１５のいずれかに記載の発明の構成において、第２の発泡性樹脂の発泡よりなり、本体の他方面に形成される第２の保護層を更に備え、本体に対する第２の保護層の剥離強度が、発泡が拘束されない場合の第２の発泡性樹脂の剥離強度より大きいものである。
【手続補正１５】
【補正対象書類名】明細書
【補正対象項目名】００４３
【補正方法】変更
【補正の内容】
【００４３】
以上説明したように、請求項１記載の発明は、第１の発泡性樹脂は、湿気硬化型の発泡性樹脂からなるものであるので、加熱しなくても硬化させることができる。又、本体の一方面が第１の保護層により完全に覆われるので、パルプ面への汚れの付着及び浸透防止が可能となるパルプモールド構造体を製造することができると共にパルプモールドよりなる本体からの紙粉の発生が抑制される。
【手続補正１６】
【補正対象書類名】明細書
【補正対象項目名】００４５
【補正方法】変更
【補正の内容】
【００４５】
請求項３記載の発明は、請求項１記載の発明の効果に加えて、発泡性樹脂の周囲への飛散が防止できるので、安定した製造方法となる。
請求項４記載の発明は、第１の発泡性樹脂は、２液混合型又は湿気硬化型の発泡性樹脂からなるものであるので、加熱しなくても硬化させることができる。又、本体の一方面が第１の保護層により完全に覆われるので、パルプ面への汚れの付着及び浸透防止が可能となるパルプモールド構造体を製造することができると共にパルプモールドよりなる本体からの紙粉の発生が抑制される。更に、発泡性樹脂の周囲への飛散が防止できるので、安定した製造方法となる。
【手続補正１７】
【補正対象書類名】明細書
【補正対象項目名】００４６
【補正方法】変更
【補正の内容】
【００４６】
請求項５記載の発明は、請求項１から請求項４のいずれかに記載の発明の効果に加えて、本体と第１の保護層との間に第１の機能材が保持されるので、パルプモールド構造体に第１の機能材の機能を付加できる。
【手続補正１８】
【補正対象書類名】明細書
【補正対象項目名】００４７
【補正方法】変更
【補正の内容】
【００４７】
請求項６記載の発明は、請求項１から請求項５のいずれかに記載の発明の効果に加えて、第１の保護層を形成する工程において第２の機能材が第１の保護層に接着するので、第２の機能材の別途の接着工程が不要となる。
【手続補正１９】
【補正対象書類名】明細書
【補正対象項目名】００４８
【補正方法】変更
【補正の内容】
【００４８】
請求項７記載の発明は、請求項１から請求項６のいずれかに記載の発明の効果に加えて、所望の形状の保護層を本体の両面の所望の位置に形成できるので、パルプモールド構造体の用途がより広がる。
【手続補正２０】
【補正対象書類名】明細書
【補正対象項目名】００４９
【補正方法】変更
【補正の内容】
【００４９】
請求項８記載の発明は、本体と第１の保護層との密着力が高いので、品質が向上する。又、第１の発泡性樹脂は、湿気硬化型の発泡性樹脂からなるものであるので、加熱しなくても硬化させることができる。
請求項９記載の発明は、本体と第１の保護層との密着力が高いので、品質が向上する。又、第１の発泡性樹脂は、２液混合型又は湿気硬化型の発泡性樹脂からなるものであるので、加熱しなくても硬化させることができる。
【手続補正２１】
【補正対象書類名】明細書
【補正対象項目名】００５０
【補正方法】変更
【補正の内容】
【００５０】
請求項１０記載の発明は、請求項８又は請求項９記載の発明の効果に加えて、本体の他方面がフィルムにより完全に覆われるので、紙粉の発生が抑制される。
【手続補正２２】
【補正対象書類名】明細書
【補正対象項目名】００５１
【補正方法】変更
【補正の内容】
【００５１】
請求項１１記載の発明は、請求項８から請求項１０のいずれかに記載の発明の効果に加えて、第１の機能材が第１の保護層を介して本体に保持されるので、パルプモールド構造体に第１の機能材の機能が付加される。
【手続補正２３】
【補正対象書類名】明細書
【補正対象項目名】００５２
【補正方法】変更
【補正の内容】
【００５２】
請求項１２記載の発明は、請求項１１記載の発明の効果に加えて、第１の機能材として、金属箔、ＩＣチップ及びマイクロ波を集中させる性質を持ったシート体のうちのいずれか一つが第１の保護層を介して本体に保持されるので、保持された第１の機能材の機能がパルプモールド構造体に付加される。
請求項１３記載の発明は、請求項８から請求項１２のいずれかに記載の発明の効果に加えて、凹凸形状を付加した第１の保護層を有する容器が得られるので、用途に応じた容器が得られる。
請求項１４記載の発明は、本体と第１の保護層との密着力が高いので、品質が向上する。又、本体の他方面がフィルムにより完全に覆われるので、紙粉の発生が抑制される。更に、アルミ箔が底部の外面側に固定されるので、電磁調理器による加熱に対応できるパルプモールド容器となる。
【手続補正２４】
【補正対象書類名】明細書
【補正対象項目名】００５３
【補正方法】変更
【補正の内容】
【００５３】
請求項１５記載の発明は、請求項８から請求項１４のいずれかに記載の発明の効果に加えて、第２の機能材と第１の保護層とが一体化するので、意匠性が向上する。
【手続補正２５】
【補正対象書類名】明細書
【補正対象項目名】００５４
【補正方法】変更
【補正の内容】
【００５４】
請求項１６記載の発明は、請求項８から請求項１５のいずれかに記載の発明の効果に加えて、本体の両面に保護層が形成されるので、用途の広いパルプモールド構造体となる。
【手続補正２６】
【補正対象書類名】特許請求の範囲
【補正対象項目名】全文
【補正方法】変更
【補正の内容】
【特許請求の範囲】
【請求項１】
パルプモールド構造体の製造方法であって、
パルプモールドよりなる本体を準備する準備工程と、
前記本体の少なくとも一方面の全体となる第１の特定個所を、第１の保護層の厚みを規定するための第１の空間を介して覆うように第１の金型を設置すると共に、前記第１の金型内で、湿気硬化型の発泡性樹脂からなる第１の発泡性樹脂を前記第１の空間に充満させるように発泡させて前記本体の前記一方面の全体に第１の保護層を一体的に形成する発泡工程とを備えた、パルプモールド構造体の製造方法。
【請求項２】
前記発泡工程は、
前記第１の特定個所に前記第１の発泡性樹脂を塗布する工程と、
前記第１の特定個所を前記第１の空間を介して覆うように前記第１の金型を配置する工程とを含む、請求項１記載のパルプモールド構造体の製造方法。
【請求項３】
前記発泡工程は、
前記第１の特定個所を前記第１の空間を介して覆うように前記第１の金型を配置する工程と、
前記第１の金型内に前記第１の発泡性樹脂を注入する工程とを含む、請求項１記載のパルプモールド構造体の製造方法。
【請求項４】
パルプモールド構造体の製造方法であって、
パルプモールドよりなる本体を準備する準備工程と、
前記本体の少なくとも一方面の全体となる第１の特定個所を、第１の保護層の厚みを規定するための第１の空間を介して覆うように第１の金型を設置すると共に、前記第１の金型内で、２液混合型又は湿気硬化型の発泡性樹脂からなる第１の発泡性樹脂を前記第１の空間に充満させるように発泡させて前記本体の前記一方面の全体に第１の保護層を一体的に形成する発泡工程とを備え、
前記発泡工程は、
前記第１の特定個所を前記第１の空間を介して覆うように前記第１の金型を配置する工程と、
前記第１の金型内に前記第１の発泡性樹脂を注入する工程とを含む、パルプモールド構造体の製造方法。
【請求項５】
前記準備工程は、
前記本体の一方面の一部に第１の機能材が設置される工程を含む、請求項１から請求項４のいずれかに記載のパルプモールド構造体の製造方法。
【請求項６】
前記準備工程は、
前記第１の空間を形成する前記第１の特定個所に対向する前記第１の金型の面の少なくとも一部に第２の機能材が設置される工程を含む、請求項１から請求項５のいずれかに記載のパルプモールド構造体の製造方法。
【請求項７】
前記発泡工程は、
前記本体の他方面の少なくとも一部となる第２の特定個所を第２の空間を介して覆うように第２の金型を配置すると共に、前記第２の金型内で第２の発泡性樹脂を前記第２の空間に充満させるように発泡させて前記本体に第２の保護層を一体的に形成する工程を含む、請求項１から請求項６のいずれかに記載のパルプモールド構造体の製造方法。
【請求項８】
パルプモールド構造体であって、
パルプモールドよりなる本体と、
第１の発泡性樹脂の発泡よりなり、前記本体の一方面の全体を覆うように形成される第１の保護層とを備え、
前記本体に対する前記第１の保護層の剥離強度が、発泡が拘束されない場合の前記第１の発泡性樹脂の剥離強度より大きく、
前記第１の発泡性樹脂は、湿気硬化型の発泡性樹脂からなる、パルプモールド構造体。
【請求項９】
パルプモールド構造体であって、
パルプモールドよりなる本体と、
第１の発泡性樹脂の発泡よりなり、前記本体の一方面の全体を覆うように形成される第１の保護層とを備え、
前記第１の保護層は、金型によって規定された空間において前記第１の発泡性樹脂が注入されて、発泡が拘束された状態で形成され、
前記本体に対する前記第１の保護層の剥離強度が、発泡が拘束されない場合の前記第１の発泡性樹脂の剥離強度より大きく、
前記第１の発泡性樹脂は、２液混合型又は湿気硬化型の発泡性樹脂からなる、パルプモールド構造体。
【請求項１０】
前記本体は、他方面の全面を覆うように貼り付けられたフィルムを更に備えた、請求項８又は請求項９記載のパルプモールド構造体。
【請求項１１】
前記本体と前記第１の保護層との間に封入された第１の機能材を更に備えた、請求項８から請求項１０のいずれかに記載のパルプモールド構造体。
【請求項１２】
前記第１の機能材は、金属箔、ＩＣチップ及びマイクロ波を集中させる性質を持ったシート体のうちのいずれか一つよりなる、請求項１１記載のパルプモールド構造体。
【請求項１３】
前記本体は、底部と、前記底部に接続され上方に立ち上がる側壁部とからなり、前記一方面が外面となる容器形状を有し、
前記第１の保護層は、前記一方面に凹凸形状を有する、請求項８から請求項１２のいずれかに記載のパルプモールド構造体。
【請求項１４】
パルプモールド構造体であって、
パルプモールドよりなる本体と、
第１の発泡性樹脂の発泡よりなり、前記本体の一方面に形成される第１の保護層と、
前記本体の他方面の全面を覆うように貼り付けられたフィルムとを備え、
前記本体に対する前記第１の保護層の剥離強度が、発泡が拘束されない場合の前記第１の発泡性樹脂の剥離強度より大きく、
前記本体は、底部と、前記底部に接続され上方に立ち上がる側壁部とからなり、前記一方面が外面となる容器形状を有し、
前記底部の前記外面側において封入された、アルミ箔よりなる第１の機能材を更に備えた、パルプモールド構造体。
【請求項１５】
前記第１の保護層の表面において、前記第１の保護層と一体的に接着している第２の機能材を更に備えた、請求項８から請求項１４のいずれかに記載のパルプモールド構造体。
【請求項１６】
第２の発泡性樹脂の発泡よりなり、前記本体の他方面に形成される第２の保護層を更に備え、
前記本体に対する前記第２の保護層の剥離強度が、発泡が拘束されない場合の前記第２の発泡性樹脂の剥離強度より大きい、請求項８から請求項１５のいずれかに記載のパルプモールド構造体。